【手続補正書】
【提出日】令和2年3月2日(2020.3.2)
【手続補正１】
【補正対象書類名】明細書
【補正対象項目名】全文
【補正方法】変更
【補正の内容】
【発明の詳細な説明】
【発明の名称】ＰＤＳＣＨに対する利用可能リソースを通知するための方法、ＰＤＳＣＨに対する利用可能リソースを決定するための方法、基地局、およびＵＥ
【技術分野】
【０００１】
本開示は、通信技術分野に関係し、より詳細には、ＰＤＳＣＨに対する利用可能リソースを通知するための方法、ＰＤＳＣＨに対する利用可能リソースを決定するための方法、基地局、およびユーザ機器に関係する。
【背景技術】
【０００２】
ＬＴＥでは、物理ダウンリンク共有チャネル（ｐｈｙｓｉｃａｌ  ｄｏｗｎｌｉｎｋ  ｓｈａｒｅｄ  ｃｈａｎｎｅｌ）（ＰＤＳＣＨ）に対する開始シンボルなどの利用可能リソースは、制御領域がサブフレームの最初またはいくつかのシンボルの全体をとるので、システム帯域幅全体にわたって同じであり、そのことによって、基地局が、ユーザ機器（ＵＥ）に、ＰＤＳＣＨに対する直交周波数分割多重（ＯＦＤＭ）シンボルの開始を通知することは容易である。
【０００３】
しかしながら、近無線（ｎｅａｒ  ｒａｄｉｏ）（ＮＲ）ワイヤレス・システムでは、制御領域は、システム帯域幅全体の周波数帯域幅の一部分を占有するのみであることがあるので、状況は変化している。このことに対しての原動力は、特により高い周波数で、ＬＴＥのものと比較されると非常に広くなることがある、システム帯域幅全体にわたる、ＵＥの、その物理ダウンリンク制御チャネル（ＰＤＣＣＨ）を探索する労力を節約することである。この事例では、どのようにＵＥに、ＰＤＳＣＨに対する利用可能リソースを通知すべきかが問題点となる。
【発明の概要】
【発明が解決しようとする課題】
【０００４】
本開示は、関係付けられる技術分野での既存の問題のうちの少なくとも１つを、少なくともある程度解決することを目標とする。
【０００５】
よって、本開示の第１の目的は、ＰＤＳＣＨに対する利用可能リソースを通知するための方法を提供することである。
【０００６】
本開示の第２の目的は、ＰＤＳＣＨに対する利用可能リソースを決定するための方法を提供することである。
【０００７】
本開示の第３の目的は、基地局を提供することである。
【０００８】
本開示の第４の目的は、ＵＥを提供することである。
【課題を解決するための手段】
【０００９】
上記の目的を実現するために、本開示の第１の態様の実現形態は、ＰＤＳＣＨに対する利用可能リソースを通知するための方法を提供する。方法は、基地局によりユーザ機器に、スケジューリング・ユニットでのＰＤＳＣＨに対する利用可能リソースに関する情報を、スケジューリング・ユニットの予約されたリソース割り当てによってシグナリングすることを含み、スケジューリング・ユニットの予約されたリソース割り当ては、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示し、スケジューリング・ユニットでのＰＤＳＣＨに対する利用可能リソースに関する情報は、スケジューリング・ユニットの予約されたリソース割り当てを表す情報を含み、予約されたリソース・セットは、ＰＤＳＣＨを送信するために使用されないことになる。
【００１０】
上記の目的を実現するために、本開示の第２の態様の実現形態は、ＰＤＳＣＨに対する利用可能リソースを決定するための方法を提供する。方法は、ユーザ機器により基地局から、スケジューリング・ユニットでのＰＤＳＣＨに対する利用可能リソースに関する情報を受信することであって、スケジューリング・ユニットでのＰＤＳＣＨに対する利用可能リソースに関する情報は、スケジューリング・ユニットの予約されたリソース割り当てを表す情報を含み、スケジューリング・ユニットの予約されたリソース割り当ては、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示し、予約されたリソース・セットは、ＰＤＳＣＨを送信するために使用されないことになる、受信することと、ユーザ機器により、スケジューリング・ユニットでのＰＤＳＣＨに対する利用可能リソースを、スケジューリング・ユニットでのＰＤＳＣＨに対する利用可能リソースに関する情報によって決定することとを含む。
【００１１】
上記の目的を実現するために、本開示の第３の態様の実現形態は、基地局を提供する。基地局は、プロセッサと、プロセッサにより実行可能な命令を記憶するためのメモリとを含む。プロセッサは、ユーザ機器に、スケジューリング・ユニットでのＰＤＳＣＨに対する利用可能リソースに関する情報を、スケジューリング・ユニットの予約されたリソース割り当てによってシグナリングするように構成される。スケジューリング・ユニットの予約されたリソース割り当ては、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示し、スケジューリング・ユニットでのＰＤＳＣＨに対する利用可能リソースに関する情報は、スケジューリング・ユニットの予約されたリソース割り当てを表す情報を含み、予約されたリソース・セットは、ＰＤＳＣＨを送信するために使用されないことになる。
【００１２】
上記の目的を実現するために、本開示の第４の態様の実現形態は、ＵＥを提供する。ＵＥデバイスは、プロセッサと、プロセッサにより実行可能な命令を記憶するためのメモリとを含む。プロセッサは、基地局から、スケジューリング・ユニットでのＰＤＳＣＨに対する利用可能リソースに関する情報を受信することであって、スケジューリング・ユニットでのＰＤＳＣＨに対する利用可能リソースに関する情報は、スケジューリング・ユニットの予約されたリソース割り当てを表す情報を含み、スケジューリング・ユニットの予約されたリソース割り当ては、ＰＤＳＣＨを送信するために使用されないことになる、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示する、受信することと、スケジューリング・ユニットでのＰＤＳＣＨに対する利用可能リソースを、スケジューリング・ユニットでのＰＤＳＣＨに対する利用可能リソースに関する情報によって決定することとを行うように構成される。
【００１３】
本開示の、上記および／または他の、態様および利点は、図面を参照する、実現形態に対する、後に続く説明から、より明らかに、および、理解するのがより容易になろう。
【図面の簡単な説明】
【００１４】
【図１】本開示のある実現形態による、ＰＤＳＣＨに対する利用可能リソースを通知するための方法を例解するフロー・チャートである。
【図２】ある実現形態による、スケジューリング・ユニットの予約されたリソース割り当てを例解する概略線図である。
【図３】別の実現形態による、スケジューリング・ユニットの予約されたリソース割り当てを例解する概略線図である。
【図４】ビットマップを使用する、スケジューリング・ユニットの予約されたリソース割り当てを例解する概略線図である。
【図５】本開示のある実現形態による、ＰＤＳＣＨに対する利用可能リソースを決定するための方法を例解するフロー・チャートである。
【図６】本開示のある実現形態による、基地局とＵＥとの間の通信を例解する概略線図である。
【発明を実施するための形態】
【００１５】
参照が今から、例示的な実現形態に対して詳細に行われることになり、それらの実現形態の例が、付随する図面で例解され、それらの図面では、図面の全体を通して同じまたは同様の参照番号は、同じもしくは同様の要素、または、同じもしくは同様の機能を有する要素を表す。図面を参照して下記で説明される実現形態は、単に例示的であり、本開示を解説するために使用されるものであり、本開示に対する制限と理解されるべきではない。
【００１６】
ＰＤＳＣＨに対する開始シンボルが、ＮＲワイヤレス・システム内の異なる物理リソースブロック（ＰＲＢ）に対して、もはや同じではないことがあるという問題について、本開示のそれぞれの実現形態は、ＰＤＳＣＨに対する利用可能リソースを通知するための方法を提供し、そのことによって、ＮＲワイヤレス・システム内の基地局は、容易に、ＵＥに、ＰＤＳＣＨに対する利用可能リソースを通知することができる。
【００１７】
後に続くものでは、本開示の実現形態による、ＰＤＳＣＨに対する利用可能リソースを通知するための方法、ＰＤＳＣＨに対する利用可能リソースを決定するための方法、基地局、およびＵＥが、図面を参照して説明される。
【００１８】
本開示は、ＮＲワイヤレス・システムの基地局において適用されることができる、ＰＤＳＣＨに対する利用可能リソースを通知するための方法を提供する。図１は、本開示のある実現形態による、ＰＤＳＣＨに対する利用可能リソースを通知するための方法を示すフロー・チャートである。図１で例解されるように、ＰＤＳＣＨに対する利用可能リソースを通知するための方法は、後に続くものを含む。
【００１９】
ブロックＳ１０２で、基地局によりユーザ機器に、スケジューリング・ユニットでのＰＤＳＣＨに対する利用可能リソースに関する情報を、スケジューリング・ユニットの予約されたリソース割り当てによってシグナリングする。
【００２０】
スケジューリング・ユニットの予約されたリソース割り当ては、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示し、スケジューリング・ユニットでのＰＤＳＣＨに対する利用可能リソースに関する情報は、スケジューリング・ユニットの予約されたリソース割り当てを表す情報を含む。予約されたリソース・セットは、ＰＤＳＣＨを送信するために使用されないことになる。
【００２１】
スケジューリング・ユニットは、スロットまたはサブフレームであることがあり、そのことは、特定の用途によって決定される。
【００２２】
予約されたリソース・セットは、ＤＬ制御チャネル送信に対して構成される時間−周波数リソースのブロック、または同類のものを含む。予約されたリソース・セットは、２つのタイプ：第１のタイプ、ユーザ機器に対して構成される制御リソース・セット；第２のタイプ、ユーザ機器のＰＤＳＣＨリソース割り当てと重なることがあるが、ユーザ機器により使用されることができない、そのユーザ機器以外の１つまたは複数のユーザ機器に対して予約されたリソースを含むリソース・セットに分類されることができる。
【００２３】
図２は、本開示のある実現形態による、スケジューリング・ユニットの予約されたリソース割り当てを示す概略線図である。図２で例解されるように、予約されたリソースの中で、一部のリソースは、予約されたリソース＃１で例解されるように、ＵＥが、ＵＥ固有チャネルおよび／または共通制御チャネルを含む、そのＵＥの制御チャネルを受信するように構成される。他のリソースは、予約されたリソース＃２で例解されるように、このＵＥ以外の１つまたは複数のＵＥに対して予約されるが、周波数領域で、このＵＥのＰＤＳＣＨ送信と重なることがある。換言すれば、予約されたリソース＃１は、まさにそのＵＥに対して構成される予約されたリソース・セットを形成するが、予約されたリソース＃２は、そのＵＥ以外の１つまたは複数のＵＥに対して構成されるリソースを含む予約されたリソース・セットを形成する。
【００２４】
領域＃１および＃３で例解される、これらの２つの種類の予約されたリソース割り当ての他に、図２はさらには、予約されたリソース割り当ての別の例を示す。領域＃２で例解されるように、スロットで送信されるＤＬ  ＰＤＣＣＨが存せず、すなわち、領域＃２で割り当てられる予約されたリソース・セットが存せず、この領域内のすべてのリソースは、ＰＤＳＣＨを送信するために使用されることができる。
【００２５】
スケジューリング・ユニットでのＰＤＳＣＨに対する利用可能リソースに関する情報は、スケジューリング・ユニットの予約されたリソース割り当て１、２、３を表す情報を含む。基地局が情報をＵＥにシグナリングするとき、ＵＥは、予約されたリソース割り当てを取得することができる。一部の実現形態では、スケジューリング・ユニットの予約されたリソース割り当て１、２、３を表す情報は、ビットマップであることがある。
【００２６】
図２を参照して論考される実現形態では、予約されたリソースは各々の領域で連続的であるが、予約されたリソースは、実際には離散的に割り当てられることがある。例えば図３は、本開示のある実現形態による、別の予約されたリソース割り当てを例解する。図３で例解されるように、領域＃１では、予約されたリソース＃１は、周波数ドメインおよび時間ドメインで離散的に割り当てられる。領域＃２では、中で割り当てられる予約されたリソースは存しない。領域＃３では、予約されたリソース＃２が、周波数ドメインで連続的に割り当てられる。
【００２７】
予約されたリソース割り当ては、ビットマップにより表されることがある。図４で例解されるように、図３での予約されたリソース割り当てが、ビットマップを使用して例解される。よって、予約されたリソース割り当てを表す情報は、ＰＤＳＣＨに対する利用可能リソースに関する情報に含まれることができる。例えば、領域＃１に対しては、時間ドメインでの「１０１０」、および周波数ドメインでの「１１００１０１」を伴うビットマップが、予約されたリソース割り当てを表すために使用されることができる。領域＃２に対しては、デフォルト構成（ｄｅｆａｕｌｔ  ｃｏｎｆｉｇｕｒａｔｉｏｎ）が、予約されたリソース割り当てを表すためにセットされることができる。領域＃３に対しては、時間ドメインでの「１０００」、および周波数ドメインでの「１１１０」を伴うビットマップが、予約されたリソース割り当てを表すために使用されることができる。
【００２８】
例えば、領域＃２で割り当てられる予約されたリソース・セットは存しないので、デフォルト構成が、この状況を表すためにセットされることができる。ある実現形態では、デフォルト構成は、この種類の予約されたリソース割り当てを表すために指定される。一部の実現形態では、デフォルト構成は、基地局およびＵＥにより折衝され、ＵＥによりアクセスされることができる標準文書に記憶されることができる。他の実現形態では、基地局は、領域＃２の中の予約されたリソース割り当てを指示するためにデフォルト構成を指定し、ＵＥに、このデフォルト構成を通知することがある。この事例では、方法は、中で割り当てられる予約されたリソース・セットを有しない周波数領域の中の、ＰＤＳＣＨに対する利用可能リソースを指示するためにデフォルト構成を指定することと、デフォルト構成をユーザ機器に送出することとをさらに含む。
【００２９】
一部の実現形態では、基地局のシグナリングは、数個の選択肢を使用して現実化されることができる。
【００３０】
選択肢１：シグナリングは、（グループ）共通制御チャネルを使用することにより現実化される。
【００３１】
選択肢２：シグナリングは、動的ＵＥ固有制御チャネルを使用することにより現実化される。
【００３２】
選択肢３：シグナリングは、準静的上位レイヤ・シグナリングを使用することにより現実化される。
【００３３】
選択肢１または３でのシグナリングは、グループＵＥ／セル／ビーム固有であることがある。選択肢２でのシグナリングは、ＵＥ固有である。
【００３４】
一部の実現形態では、スケジューリング・ユニットでのＰＤＳＣＨに対する利用可能リソースに関する情報は、ＵＥに、３つの選択肢の１つまたは組み合わせを使用してシグナリングされる。例えば、ある実現形態では、スケジューリング・ユニットでのＰＤＳＣＨに対する利用可能リソースに関する情報は、選択肢１、選択肢２、および選択肢３のいずれか１つを使用してシグナリングされることがある。別の例に対しては、スケジューリング・ユニットでのＰＤＳＣＨに対する利用可能リソースに関する情報は、最初に、選択肢３を使用してシグナリングされることがあり、そのことによって、ＵＥは、選択肢３を使用してシグナリングされる情報に基づいて、スケジューリング・ユニットの、候補の予約されたリソース割り当てを取得することができ、次いで、スケジューリング・ユニットでのＰＤＳＣＨに対する利用可能リソースに関する情報は、選択肢１および／または選択肢２を使用してシグナリングされることがあり、そのことによって、ＵＥは、スケジューリング・ユニットの、候補の予約されたリソース割り当て、ならびに、選択肢１および／または選択肢２を使用してシグナリングされる情報に基づいて、利用可能リソースを取得することができる。選択肢３を使用してシグナリングされる情報は、候補の予約されたリソース割り当てを指示し、一方で、選択肢１および／または選択肢２を使用してシグナリングされる情報は、候補の予約されたリソース割り当てとの組み合わせで、予約されたリソース割り当てを指示する。
【００３５】
クロス・スロット・スケジューリング（ｃｒｏｓｓ−ｓｌｏｔ  ｓｃｈｅｄｕｌｉｎｇ）または半永続的スケジューリング（ＳＰＳ）に対して、スケジューリング・ユニットでのＰＤＳＣＨに対する利用可能リソースに関する情報は、選択肢１および／または選択肢３を使用してシグナリングされる。
【００３６】
一部の実現形態では、スケジューリング・ユニットの予約されたリソース割り当てを表す情報は、１４ビットのビットマップである。例えば、ある実現形態では、１４ビットのビットマップは、スロットでの予約されたリソース割り当てを表すために使用されることができ、２８ビットのビットマップは、２つのスロットでの予約されたリソース割り当てを表すために使用されることができる。
【００３７】
本開示のある実現形態による、ＰＤＳＣＨに対する利用可能リソースを通知するための方法によって、スケジューリング・ユニットの予約されたリソース割り当てを表す情報を含む、スケジューリング・ユニットでのＰＤＳＣＨに対する利用可能リソースに関する情報を、ユーザ機器にシグナリングすることにより、基地局は、容易に、ＵＥに、ＰＤＳＣＨに対する利用可能リソースを通知することができる。
【００３８】
本開示はさらには、ＮＲワイヤレス・システムのユーザ機器において適用されることができる、ＰＤＳＣＨに対する利用可能リソースを決定するための方法を提供する。図５は、本開示のある実現形態による、ＰＤＳＣＨに対する利用可能リソースを決定するための方法を示すフロー・チャートである。図５で例解されるように、ＰＤＳＣＨに対する利用可能リソースを決定するための方法は、後に続くものを含む。
【００３９】
ブロックＳ４０１で、ユーザ機器により基地局から、スケジューリング・ユニットでのＰＤＳＣＨに対する利用可能リソースに関する情報を受信する。
【００４０】
スケジューリング・ユニットでのＰＤＳＣＨに対する利用可能リソースに関する情報は、スケジューリング・ユニットの予約されたリソース割り当てを表す情報を含む。スケジューリング・ユニットの予約されたリソース割り当ては、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示し、予約されたリソース・セットは、ＰＤＳＣＨを送信するために使用されないことになる。
【００４１】
図２で例解されるように、スケジューリング・ユニットに対して、予約されたリソース割り当ての３つの事例が存することがある。スケジューリング・ユニットでのＰＤＳＣＨに対する利用可能リソースに関する情報を受信することの後に、ＵＥは、スケジューリング・ユニットの予約されたリソース割り当てを決定するように、情報を分析することができる。
【００４２】
ブロックＳ４０２で、ユーザ機器により、スケジューリング・ユニットでのＰＤＳＣＨに対する利用可能リソースを、スケジューリング・ユニットでのＰＤＳＣＨに対する利用可能リソースに関する情報によって決定する。
【００４３】
一部の実現形態では、中で割り当てられる予約されたリソース・セットを有しない周波数領域に対して、デフォルト構成がセットされることができ、そのことによって、ＵＥは、スケジューリング・ユニットに、予約されたリソース・セットを有しない周波数領域が存するかどうかを、直接、デフォルト構成によって決定することができる。換言すれば、デフォルト構成は、中で割り当てられる予約されたリソース・セットを有しない周波数領域の中の、ＰＤＳＣＨに対する利用可能リソースを指示するように構成される。
【００４４】
スケジューリング・ユニットでのＰＤＳＣＨに対する利用可能リソースに関する情報は、スケジューリング・ユニットの予約されたリソース割り当てを表す情報を含み、デフォルト構成は、予約されたリソース・セットを有しない周波数領域の中の、ＰＤＳＣＨに対する利用可能リソースを指示するので、ＵＥは、予約されたリソース・セットを有しない周波数領域での利用可能リソースを、デフォルト構成によって決定することができ、その周波数領域以外の周波数領域での利用可能リソースを、スケジューリング・ユニットでのＰＤＳＣＨに対する利用可能リソースに関する情報によって決定する。
【００４５】
例えば、図２で例解されるように、予約されたリソース割り当て２に対して、ＵＥは、デフォルト構成を取得することができ、そのデフォルト構成によって、ＵＥは、直接、領域＃２のＰＤＳＣＨに対する利用可能リソースを決定することができる。ＵＥは、スケジューリング・ユニットでのＰＤＳＣＨに対する利用可能リソースに関する情報を基地局から受信するが、ＵＥは、領域＃２で割り当てられる予約されたリソース・セットは存しないと決定するので、ＵＥは、領域＃２内のＰＤＳＣＨに対する利用可能リソースを、情報をさらに分析することなく、デフォルト構成によって決定することができる。
【００４６】
スケジューリング・ユニットは、スロットまたはサブフレームであることがあり、そのことは、特定の用途によって決定される。
【００４７】
一部の実現形態では、方法は、ユーザ機器により、デフォルト構成を基地局から受信することをさらに含む。
【００４８】
デフォルト構成は、ＵＥと基地局との間の折衝により取得されることがある。または、一部の実現形態では、デフォルト構成は、基地局により指定されることがある。この事例では、ＵＥは、デフォルト構成を基地局から受信する。
【００４９】
一部の実現形態では、スケジューリング・ユニットに、予約されたリソース・セットが存せず、デフォルト構成が、このスケジューリング・ユニットに対してセットされ、基地局が、スケジューリング・ユニットでのＰＤＳＣＨに対する利用可能リソースに関する情報をＵＥに送出しないことが可能である。スケジューリング・ユニットでのＰＤＳＣＨに対する利用可能リソースに関する情報が受信されず、一方で、デフォルト構成が取得されるとき、ＵＥは、スケジューリング・ユニットでのＰＤＳＣＨに対する利用可能リソースを、デフォルト構成に基づいて決定することができる。
【００５０】
一部の実現形態では、ＰＤＳＣＨに対する利用可能リソースは、後に続くように決定されることができる。
【００５１】
１．ＵＥが、動的共通制御チャネル、ＵＥ固有制御チャネル、および準静的上位レイヤ・シグナリングのうちの１つを使用してシグナリングされる、スケジューリング・ユニットでのＰＤＳＣＨに対する利用可能リソースに関する情報を受信するとき、ＵＥは、スケジューリング・ユニットでのＰＤＳＣＨに対する利用可能リソースを、動的共通制御チャネル、動的ＵＥ固有制御チャネル、および準静的上位レイヤ・シグナリングのうちの１つを使用して受信される、スケジューリング・ユニットでのＰＤＳＣＨに対する利用可能リソースに関する情報によって決定する。
【００５２】
詳細には、ＵＥが、個別のリソース・セット領域、または、割り当てられるＰＲＢに対する利用可能リソースを指示するための、（グループ）共通制御チャネルまたはＵＥ固有制御チャネルからの、スケジューリング・ユニットでのＰＤＳＣＨに対する利用可能リソースに関する情報を受信するとき、ＵＥは、領域で割り当てられるＰＲＢに対する利用可能リソースを、（グループ）共通制御チャネルまたはＵＥ固有制御チャネルを使用してシグナリングされる情報によって決定する。ＵＥが、個別のリソース・セット領域に対する利用可能リソースを指示するための、準静的に上位レイヤからの、スケジューリング・ユニットでのＰＤＳＣＨに対する利用可能リソースに関する情報を受信するとき、ＵＥは、領域で割り当てられるすべてのＰＲＢに対する利用可能リソースを、準静的に上位レイヤからシグナリングされる情報によって決定する。
【００５３】
２．ＵＥが、準静的上位レイヤ・シグナリング、ならびに、動的共通制御チャネルおよび動的ＵＥ固有制御チャネルのうちの１つの、両方を使用することによりシグナリングされる、スケジューリング・ユニットでのＰＤＳＣＨに対する利用可能リソースに関する情報を受信するとき、ＵＥは、スケジューリング・ユニットの、候補の予約されたリソース割り当てを、準静的上位レイヤ・シグナリングを使用してシグナリングされる情報に基づいて決定し、ＰＤＳＣＨに対する利用可能リソースを、候補の予約されたリソース割り当て、ならびに、動的共通制御チャネルおよび動的ＵＥ固有制御チャネルのうちの１つを使用して最も近時に受信される、スケジューリング・ユニットでのＰＤＳＣＨに対する利用可能リソースに関する情報によって決定する。
【００５４】
詳細には、ＵＥが、スケジューリング・ユニットでのＰＤＳＣＨに対する利用可能リソースに関する情報を、（グループ）共通制御チャネルまたはＵＥ固有制御チャネルから受信することを、スケジューリング・ユニットでのＰＤＳＣＨに対する利用可能リソースに関する情報を、準静的に上位レイヤから受信することの後に行うとき、ＵＥは、スケジューリング・ユニットの、候補の予約されたリソース割り当てを、準静的に上位レイヤから受信される情報によって決定し、スケジューリング・ユニットでのＰＤＳＣＨに対する利用可能リソースを、（グループ）共通制御チャネルまたはＵＥ固有制御チャネルからの、スケジューリング・ユニットでのＰＤＳＣＨに対する利用可能リソースに関する情報、および、スケジューリング・ユニットの、候補の予約されたリソース割り当てによって決定する。
【００５５】
３．ＵＥが、基地局により、動的共通制御チャネルおよび動的ＵＥ固有制御チャネルの両方を使用してシグナリングされる、スケジューリング・ユニットでのＰＤＳＣＨに対する利用可能リソースに関する情報を受信するとき、ＵＥは、スケジューリング・ユニットでのＰＤＳＣＨに対する利用可能リソースを、動的ＵＥ固有制御チャネルを使用して受信される、スケジューリング・ユニットでのＰＤＳＣＨに対する利用可能リソースに関する情報によって決定する。
【００５６】
一部の実現形態では、スケジューリング・ユニットの予約されたリソース割り当てを表す情報は、１４ビットのビットマップとして決定されることができる。例えば、ある実現形態では、１４ビットのビットマップは、スロットでの予約されたリソース割り当てを表すために使用されることができ、２８ビットのビットマップは、２つのスロットでの予約されたリソース割り当てを表すために使用されることができる。
【００５７】
図６は、本開示のある実現形態による、基地局とＵＥとの間の通信を示す概略線図である。
【００５８】
ブロックＳ５０１で、基地局は、デフォルト構成を、予約されたリソース・セットを有しない周波数領域に対して指定する。
【００５９】
ブロックＳ５０２で、基地局は、デフォルト構成をＵＥに送出する。
【００６０】
ブロックＳ５０３で、基地局は、スケジューリング・ユニットでのＰＤＳＣＨに対する利用可能リソースに関する情報をＵＥにシグナリングする。
【００６１】
スケジューリング・ユニットでのＰＤＳＣＨに対する利用可能リソースに関する情報は、ＵＥに、数個の選択肢を使用してシグナリングされることができる。
【００６２】
選択肢１、スケジューリング・ユニットでのＰＤＳＣＨに対する利用可能リソースに関する情報は、（グループ）共通制御チャネルを使用して送出される。
【００６３】
選択肢２、スケジューリング・ユニットでのＰＤＳＣＨに対する利用可能リソースに関する情報は、動的ＵＥ固有制御チャネルを使用して送出される。
【００６４】
選択肢３、スケジューリング・ユニットでのＰＤＳＣＨに対する利用可能リソースに関する情報は、準静的上位レイヤ・シグナリングを使用して送出される。
【００６５】
選択肢１または３でのシグナリングは、グループＵＥ／セル／ビーム固有であることがある。選択肢２でのシグナリングは、ＵＥ固有である。
【００６６】
上記の選択肢は、単独で使用される、または、一体に組み合わされることがある。例えば、デフォルト構成は、選択肢３を使用してシグナリングされることがある。スケジューリング・ユニットでのＰＤＳＣＨに対する利用可能リソースに関する情報は、候補の予約されたリソース割り当てを指示するために、選択肢３によりシグナリングされることがあり、次いで、予約されたリソース割り当てをさらに指示するために、選択肢１および／または２によりシグナリングされることがある。
【００６７】
ブロックＳ５０４で、ＵＥは、デフォルト構成が、スケジューリング・ユニットの周波数領域に対して取得されるかどうかを決定し、はいであるならば、ブロックＳ５０５での作用が実行される。
【００６８】
ブロックＳ５０５で、ＵＥは、この周波数領域でのＰＤＳＣＨに対する利用可能リソースを、直接、デフォルト構成によって決定し、スケジューリング・ユニットのこの周波数領域以外の周波数領域でのＰＤＳＣＨに対する利用可能リソースを、スケジューリング・ユニットでのＰＤＳＣＨに対する利用可能リソースに関する情報によって決定する。
【００６９】
ブロックＳ５０６で、ＵＥは、スケジューリング・ユニットでのＰＤＳＣＨに対する利用可能リソースを、スケジューリング・ユニットでのＰＤＳＣＨに対する利用可能リソースに関する情報によって決定する。
【００７０】
ＵＥが、選択肢１、選択肢２、および選択肢３のうちの１つを使用してシグナリングされる、スケジューリング・ユニットでのＰＤＳＣＨに対する利用可能リソースに関する情報を受信するとき、そのＵＥは、スケジューリング・ユニットでのＰＤＳＣＨに対する利用可能リソースに関する情報を使用して、利用可能リソースを決定することになる。
【００７１】
ＵＥが、選択肢１および／または選択肢２を使用してシグナリングされる、スケジューリング・ユニットでのＰＤＳＣＨに対する利用可能リソースに関する情報を受信することを、選択肢３を使用してシグナリングされる、その情報を受信することの後に行うとき、そのＵＥは、選択肢３を使用してシグナリングされる、スケジューリング・ユニットでのＰＤＳＣＨに対する利用可能リソースに関する情報を使用して、候補の予約されたリソース割り当てを決定し、選択肢１または選択肢２を使用してシグナリングされる、スケジューリング・ユニットでのＰＤＳＣＨに対する利用可能リソースに関する情報、および、候補の予約されたリソース割り当てを使用して、利用可能リソースを決定することになる。  
【００７２】
クロス・スロット・スケジューリングまたは半永続的スケジューリング（ＳＰＳ）に対して、スロットでのＵＥ固有制御チャネルは存せず、ＵＥは、スケジューリング・ユニットでのＰＤＳＣＨに対する利用可能リソースを、選択肢１または選択肢３を使用してシグナリングされる、スケジューリング・ユニットでのＰＤＳＣＨに対する利用可能リソースに関する情報に基づいて推測することができる。
【００７３】
本開示の実現形態による、ＰＤＳＣＨに対する利用可能リソースを決定するための方法によって、基地局から、スケジューリング・ユニットでのＰＤＳＣＨに対する利用可能リソースに関する情報を受信することにより、ＵＥは、スケジューリング・ユニットでのＰＤＳＣＨに対する利用可能リソースを、スケジューリング・ユニットでのＰＤＳＣＨに対する利用可能リソースに関する情報によって決定することができる。この手立てで、ＵＥは、直接および容易に、どこでそのＰＤＳＣＨを復号することを開始すべきかを知ることになる。
【００７４】
本開示の実現形態は、基地局をさらに提供する。基地局は、プロセッサと、プロセッサにより実行可能な命令を記憶するためのメモリとを含む。プロセッサは、ユーザ機器に、スケジューリング・ユニットでのＰＤＳＣＨに対する利用可能リソースに関する情報を、スケジューリング・ユニットの予約されたリソース割り当てによってシグナリングするように構成される。スケジューリング・ユニットの予約されたリソース割り当ては、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示し、スケジューリング・ユニットでのＰＤＳＣＨに対する利用可能リソースに関する情報は、スケジューリング・ユニットの予約されたリソース割り当てを表す情報を含み、予約されたリソース・セットは、ＰＤＳＣＨを送信するために使用されないことになる。
【００７５】
本開示の実現形態による基地局によって、基地局は、スケジューリング・ユニットでのＰＤＳＣＨに対する利用可能リソースに関する情報を、ＵＥに、スケジューリング・ユニットの予約されたリソース割り当てによってシグナリングする。スケジューリング・ユニットの予約されたリソース割り当ては、ＰＤＳＣＨを送信するために使用されないことになる、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示する。スケジューリング・ユニットでのＰＤＳＣＨに対する利用可能リソースに関する情報は、スケジューリング・ユニットの予約されたリソース割り当てを表すための情報を含む。この手立てで、基地局は、ＵＥに、ＰＤＳＣＨに対する利用可能リソースを通知することができ、そのことによって、ＵＥは、直接および容易に、どこでそのＰＤＳＣＨを復号することを開始すべきかを知ることになる。
【００７６】
本開示の実現形態は、ＵＥをさらに提供する。ＵＥデバイスは、プロセッサと、プロセッサにより実行可能な命令を記憶するためのメモリとを含む。プロセッサは、基地局から、スケジューリング・ユニットでのＰＤＳＣＨに対する利用可能リソースに関する情報を受信することであって、スケジューリング・ユニットでのＰＤＳＣＨに対する利用可能リソースに関する情報は、スケジューリング・ユニットの予約されたリソース割り当てを表す情報を含み、スケジューリング・ユニットの予約されたリソース割り当ては、ＰＤＳＣＨを送信するために使用されないことになる、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示する、受信することと、スケジューリング・ユニットでのＰＤＳＣＨに対する利用可能リソースを、スケジューリング・ユニットでのＰＤＳＣＨに対する利用可能リソースに関する情報によって決定することとを行うように構成される。
【００７７】
本開示の実現形態によるＵＥによって、ＵＥは、基地局から、スケジューリング・ユニットでのＰＤＳＣＨに対する利用可能リソースに関する情報を受信し、ＰＤＳＣＨに対する利用可能リソースに関する情報は、スケジューリング・ユニットの予約されたリソース割り当てを表す情報を含み、スケジューリング・ユニットの予約されたリソース割り当ては、ＰＤＳＣＨを送信するために使用されないことになる、予約されたリソース・セットとして、周波数ドメインで、１つまたは複数のリソース・セットを指示し、時間ドメインで、スケジューリング・ユニットの、１つまたは複数のリソース・セットの中のＯＦＤＭシンボルの部分を指示し、ＵＥは、スケジューリング・ユニットでのＰＤＳＣＨに対する利用可能リソースを、スケジューリング・ユニットでのＰＤＳＣＨに対する利用可能リソースに関する情報によって決定する。この手立てで、ＵＥは、直接および容易に、どこでそのＰＤＳＣＨを復号することを開始すべきかを知ることになる。
【００７８】
「ある実現形態」、「一部の実現形態」、「ある例」、「ある具体例」、または「一部の例」に対する、本明細書の全体を通しての参照は、実現形態または例との関連で説明される、個別の特徴部、構造、材料、または特性は、本開示の少なくとも１つの実現形態または例に含まれるということを意味する。本明細書では、前述の用語の例示的な説明は、必ずしも同じ実現形態または例を参照していない。さらにまた、個別の特徴部、構造、材料、または特性は、１つまたは複数の実現形態または例で、任意の適した様式で組み合わされることがある。その上、当業者は、本開示で説明される、異なる実現形態、または、実現形態もしくは例での異なる特性を組み合わせることができる。
【００７９】
加えて、「第１の」および「第２の」などの用語は、本明細書では、説明の目的のために使用され、相対的な重要性もしくは有意性を指示もしくは示唆すること、または、指示される技術的特徴部の数を示唆することを意図されない。かくして、「第１の」および「第２の」によって定義される特徴部は、これらの特徴部のうちの少なくとも１つを備える、または示唆することがある。本開示の説明では、「複数の」は、別段に指定されない限り、２つ、または３つ以上を意味する。
【００８０】
フロー・チャートで説明される、または、他の手立てで、本明細書で説明される、任意のプロセスまたは方法は、プロセスでの特定の論理機能またはステップを実現するための実行可能命令のコードの、１つまたは複数の、モジュール、セグメント、または一部分を含むと理解されることができ、本開示の好まれる実現形態の範囲は、他の実装形態を含み、実行の順序は、関与させられる機能によるということ、機能を遂行するために、同時的に、または、部分的な同時性を伴って、または、逆の順序で実行するということを含めて、図示または論考されるものとは異なることがあり、そのことは、当業者により理解されるはずである。
【００８１】
本明細書で他の様式で説明される、または、フロー・チャートで示される、論理および／またはステップ、例えば、論理機能を現実化するための実行可能命令の個別のシーケンス表は、具体的には、命令実行システム、デバイス、もしくは機器（命令実行システム、デバイス、および機器からの命令を取り込み、命令を実行する能力のある、コンピュータに基づくシステム、プロセッサを備えるシステム、または他のシステムなど）により使用されるための、または、命令実行システム、デバイス、および機器との組み合わせで使用されるための、任意のコンピュータ可読媒体で実現されることができる。本明細書に関しては、「コンピュータ可読媒体」は、命令実行システム、デバイス、もしくは機器により、または、それらとの組み合わせで使用されるための、プログラムを、含む、記憶する、伝達する、伝搬させる、または転送することに対して適応的な任意のデバイスであってよい。コンピュータ可読媒体の、より具体的な例は、１つまたは複数の電線を伴う電子接続（電子デバイス）、可搬型コンピュータ筐体（磁気デバイス）、ランダム・アクセス・メモリ（ＲＡＭ）、読み出し専用メモリ（ＲＯＭ）、消去可能プログラマブル読み出し専用メモリ（ＥＰＲＯＭまたはフラッシュ・メモリ）、光学ファイバ・デバイス、および可搬型コンパクト・ディスク読み出し専用メモリ（ＣＤＲＯＭ）を備えるが、それらに制限されない。加えて、コンピュータ可読媒体は、上にプログラムを印刷する能力のある、紙、または他の適切な媒体であることさえあり、このことはなぜならば、例えば、紙、または他の適切な媒体は、プログラムを電気的な様式で取得するために必要なときに、光学的にスキャンされ、次いで、編集され、解読され、または、他の適切な方法によって処理されることができ、次いで、プログラムは、コンピュータ・メモリに記憶されることができるからである。
【００８２】
本開示の各々の部分は、ハードウェア、ソフトウェア、ファームウェア、または、それらの組み合わせにより現実化されることができるということが理解されるべきである。上記の実現形態では、複数のステップまたは方法は、メモリに記憶されるソフトウェアまたはファームウェアにより現実化され、適切な命令実行システムにより実行されることができる。例えば、その部分がハードウェアにより現実化されるならば、同じように別の実現形態で、ステップまたは方法は、当技術分野で知られている、後に続く技法：データ信号の論理機能を現実化するための論理ゲート回路を有するディスクリート論理回路、適切な組み合わせ論理ゲート回路を有する特定用途向け集積回路、プログラマブル・ゲート・アレイ（ＰＧＡ）、フィールド・プログラマブル・ゲート・アレイ（ＦＰＧＡ）、その他の、１つまたは組み合わせにより現実化されることができる。
【００８３】
当業者は、本開示に対する上記の例示する方法でのステップのすべてまたは部分は、関係付けられるハードウェアをプログラムによって指令することにより実現されることができ、プログラムは、コンピュータ可読記憶媒体に記憶されることができ、プログラムは、コンピュータ上で走るときに、本開示の方法実現形態でのステップの１つまたは組み合わせを備えるということを理解することになる。
【００８４】
加えて、本開示の実現形態の、各々の機能セルは、処理モジュール内に集積されることができ、または、これらのセルは、別々の物理的存在であることがあり、または、２つ以上のセルが、処理モジュール内に集積される。集積モジュールは、ハードウェアの形態で、または、ソフトウェア機能モジュールの形態で現実化されることができる。集積モジュールが、ソフトウェア機能モジュールの形態で現実化され、独立型製品として販売または使用されるとき、集積モジュールは、コンピュータ可読記憶媒体に記憶されることができる。
【００８５】
上記で述べられた記憶媒体は、読み出し専用メモリ、磁気ディスク、ＣＤ、その他であることがある。本開示の実現形態は、上記で示され説明されたが、上記の実現形態は、解説的なものにすぎず、本開示を制限するように解釈されることはできず、当業者にとっては、変更形態、代替形態、および修正形態が、実現形態に対して、本開示の趣旨、原理、および範囲から逸脱することなく作製されることができるということが理解されるべきである。
【手続補正２】
【補正対象書類名】特許請求の範囲
【補正対象項目名】全文
【補正方法】変更
【補正の内容】
【特許請求の範囲】
【請求項１】
ＰＤＳＣＨに対する利用可能リソースを通知するための方法であって、
基地局によりユーザ機器に、スケジューリング・ユニットでのＰＤＳＣＨ（物理ダウンリンク共有チャネル）に対する前記利用可能リソースに関する情報を、前記スケジューリング・ユニットの予約されたリソース割り当てによってシグナリングすること（Ｓ１０２）
を備え、
前記スケジューリング・ユニットの前記予約されたリソース割り当ては、予約されたリソース・セットとして、周波数ドメインで、１つまたは複数のリソース・セットを指示し、時間ドメインで、前記スケジューリング・ユニットの、前記１つまたは複数のリソース・セットの中のＯＦＤＭ（直交周波数分割多重）シンボルの部分を指示し、前記スケジューリング・ユニットでのＰＤＳＣＨに対する前記利用可能リソースに関する前記情報は、前記スケジューリング・ユニットの前記予約されたリソース割り当てを表す情報を含み、前記予約されたリソース・セットは、前記ＰＤＳＣＨを送信するために使用されないことになる、方法。
【請求項２】
中で割り当てられる予約されたリソース・セットを有しない周波数領域の中の、ＰＤＳＣＨに対する前記利用可能リソースを指示するためにデフォルト構成を指定することと（Ｓ５０１）、
前記デフォルト構成を前記ユーザ機器に送出することと（Ｓ５０２）
をさらに備える、請求項１に記載の方法。
【請求項３】
前記予約されたリソース・セットは、前記ユーザ機器に対して構成される制御リソース・セットである、請求項１または２に記載の方法。
【請求項４】
前記基地局により前記シグナリングすることは、後に続く３つの選択肢：
動的共通制御チャネル、
動的ＵＥ固有制御チャネル、および、
準静的上位レイヤ・シグナリング
のうちの少なくとも１つを使用して現実化されることができる、請求項１に記載の方法。
【請求項５】
ＰＤＳＣＨに対する前記利用可能リソースに関する前記情報は、前記３つの選択肢の１つまたは組み合わせを使用してシグナリングされることができる、請求項４に記載の方法。
【請求項６】
クロス・スロット・スケジューリングまたは半永続的スケジューリングに対して、ＰＤＳＣＨに対する前記利用可能リソースに関する前記情報は、前記準静的上位レイヤ・シグナリングおよび／または前記動的共通制御チャネルを使用してシグナリングされる、請求項５に記載の方法。
【請求項７】
前記スケジューリング・ユニットの前記予約されたリソース割り当てを表す前記情報は、１４ビットのビットマップである、請求項１ないし６のいずれかに記載の方法。
【請求項８】
前記利用可能リソースは、個別のリソース・セット領域に対するものである、請求項１ないし７のいずれかに記載の方法。
【請求項９】
前記利用可能リソースは、割り当てられるＰＲＢに対するものである、請求項１ないし７のいずれかに記載の方法。
【請求項１０】
ＰＤＳＣＨに対する利用可能リソースを決定するための方法であって、
ユーザ機器により、スケジューリング・ユニットでのＰＤＳＣＨ（物理ダウンリンク共有チャネル）に対する前記利用可能リソースに関する情報を受信することであって、前記スケジューリング・ユニットでのＰＤＳＣＨに対する前記利用可能リソースに関する前記情報は、前記スケジューリング・ユニットの予約されたリソース割り当てを表す情報を含み、前記スケジューリング・ユニットの前記予約されたリソース割り当ては、予約されたリソース・セットとして、周波数ドメインで、１つまたは複数のリソース・セットを指示し、時間ドメインで、前記スケジューリング・ユニットの、前記１つまたは複数のリソース・セットの中のＯＦＤＭ（直交周波数分割多重）シンボルの部分を指示し、前記予約されたリソース・セットは、前記ＰＤＳＣＨを送信するために使用されないことになる、受信することと（Ｓ４０１）、
前記ユーザ機器により、前記スケジューリング・ユニットでのＰＤＳＣＨに対する前記利用可能リソースを、前記スケジューリング・ユニットでのＰＤＳＣＨに対する前記利用可能リソースに関する前記情報によって決定することと（Ｓ４０２）
を備える、方法。
【請求項１１】
前記ユーザ機器により、デフォルト構成を受信することであって、前記デフォルト構成は、中で割り当てられる予約されたリソース・セットを有しない周波数領域の中の、ＰＤＳＣＨに対する前記利用可能リソースを指示するように構成される、受信すること
をさらに備え、
前記ユーザ機器により、前記スケジューリング・ユニットでのＰＤＳＣＨに対する前記利用可能リソースを、前記スケジューリング・ユニットでのＰＤＳＣＨに対する前記利用可能リソースに関する前記情報によって決定することは、前記ユーザ機器により、前記スケジューリング・ユニットでのＰＤＳＣＨに対する前記利用可能リソースを、前記スケジューリング・ユニットでのＰＤＳＣＨに対する前記利用可能リソースに関する前記情報、および前記デフォルト構成によって決定することを備える、請求項１０に記載の方法。
【請求項１２】
前記予約されたリソース・セットは、前記ユーザ機器に対して構成される制御リソース・セットである、請求項１０または１１に記載の方法。
【請求項１３】
前記ユーザ機器により、前記スケジューリング・ユニットでのＰＤＳＣＨに対する前記利用可能リソースを、前記スケジューリング・ユニットでのＰＤＳＣＨに対する前記利用可能リソースに関する前記情報によって決定することは、
前記スケジューリング・ユニットでのＰＤＳＣＨに対する前記利用可能リソースに関する前記情報が、基地局により、動的共通制御チャネル、動的ＵＥ固有制御チャネル、および準静的上位レイヤ・シグナリングのうちの１つを使用してシグナリングされるとき、前記スケジューリング・ユニットでのＰＤＳＣＨに対する前記利用可能リソースを、前記動的共通制御チャネル、前記動的ＵＥ固有制御チャネル、および前記準静的上位レイヤ・シグナリングのうちの前記１つを使用して受信される、前記スケジューリング・ユニットでのＰＤＳＣＨに対する前記利用可能リソースに関する前記情報によって決定すること、または、
前記スケジューリング・ユニットでのＰＤＳＣＨに対する前記利用可能リソースに関する前記情報が、前記基地局により、前記準静的上位レイヤ・シグナリング、ならびに、前記動的共通制御チャネルおよび前記動的ＵＥ固有制御チャネルのうちの１つの、両方を使用してシグナリングされるとき、前記スケジューリング・ユニットでのＰＤＳＣＨに対する前記利用可能リソースを、前記動的共通制御チャネルおよび前記動的ＵＥ固有制御チャネルのうちの前記１つを使用して最も近時に受信される、前記スケジューリング・ユニットでのＰＤＳＣＨに対する前記利用可能リソースに関する前記情報によって決定することを、前記スケジューリング・ユニットでの、候補の予約されたリソース割り当てを、前記準静的上位レイヤ・シグナリングを使用して受信される、前記スケジューリング・ユニットでのＰＤＳＣＨに対する前記利用可能リソースに関する前記情報によって決定することの後に行うこと、または、
前記スケジューリング・ユニットでのＰＤＳＣＨに対する前記利用可能リソースに関する前記情報が、前記基地局により、前記動的共通制御チャネルおよび前記動的ＵＥ固有制御チャネルの両方を使用してシグナリングされるとき、前記スケジューリング・ユニットでのＰＤＳＣＨに対する前記利用可能リソースを、前記動的ＵＥ固有制御チャネルを使用して受信される、前記スケジューリング・ユニットでのＰＤＳＣＨに対する前記利用可能リソースに関する前記情報によって決定すること
を備える、請求項１０ないし１２のいずれかに記載の方法。
【請求項１４】
前記スケジューリング・ユニットの前記予約されたリソース割り当てを表す前記情報は、１４ビットのビットマップである、請求項１０ないし１３のいずれかに記載の方法。
【請求項１５】
前記利用可能リソースは、個別のリソース・セット領域に対するものである、請求項１０ないし１４のいずれかに記載の方法。
【請求項１６】
前記利用可能リソースは、割り当てられるＰＲＢに対するものである、請求項１０ないし１４のいずれかに記載の方法。
【請求項１７】
請求項１ないし９のいずれかに記載の方法を実行するように構成された、基地局。
【請求項１８】
プロセッサと、
前記プロセッサにより実行可能な命令を記憶するためのメモリと
を備え、
前記プロセッサは、前記命令を実行するときに、請求項１ないし９のいずれかに記載の方法を実施するように構成された、基地局。
【請求項１９】
請求項１０ないし１６のいずれかに記載の方法を実行するように構成された、ユーザ機器。
【請求項２０】
プロセッサと、
前記プロセッサにより実行可能な命令を記憶するためのメモリと
を備え、
前記プロセッサは、前記命令を実行するときに、請求項１０ないし１６のいずれかに記載の方法を実行するように構成された、
ユーザ機器。